(57)【要約】【課題】  本発明は、独立して交換可能なＬＥＤ蛍光管交換灯およびＬＥＤ蛍光管交換灯を構成する照明モジュールを提供することにある。【解決手段】  ＬＥＤ蛍光管交換灯および蛍光灯を構成する照明モジュールの実施形態をここに開示する。交換灯の実施形態の１つは、隣接するモジュールに電気的に接続するよう構成された、複数の交換可能な照明モジュールを含む。交換可能な照明モジュールは、それぞれがピンコネクタを有するエンドキャップを有する端部モジュールを含むことができる。少なくとも１つの端部モジュールは、モジュールに電力を供給するための、ピンコネクタに接続する電気回路を含む。照明モジュールは、回路基盤に実装されたＬＥＤを有する中央ユニットモジュールとなり得る。交換灯は、修理または交換用にモジュールのみを撤去できるように、想定可能な照明モジュールの構成から作成できる。【選択図】図１
2013530508.tif 000002
【特許請求の範囲】
【請求項１】
ＬＥＤ蛍光管交換灯であって、
前記ＬＥＤ蛍光管交換灯は、
隣接するモジュールが電気的に接続される、複数の交換可能な照明モジュールを備え、
前記複数の交換可能な照明モジュールは、
少なくとも１つの端部コネクタを有するエンドキャップをそれぞれ含む２つの端部モジュールと、
少なくとも１つの中央モジュールと、を含み、
少なくとも１つの前記端部モジュールは、前記少なくとも１つの端部コネクタに接続して前記端部モジュールに電力を供給する電気回路を含み、
２つの前記端部モジュールのうちいずれか１つ、および、少なくとも１つの中央モジュールは、同種のモジュールと交換可能であることを特徴とするＬＥＤ蛍光管交換灯。
【請求項２】
前記少なくとも１つの中央モジュールに電気的に接続をする、少なくとも１つの他のコネクタを更に備えることを特徴とする請求項１に記載のＬＥＤ蛍光管交換灯。
【請求項３】
少なくとも１つの前記エンドキャップ上の前記少なくとも１つの端部コネクタは、２つの前記コネクタを含むことを特徴とする請求項１に記載のＬＥＤ蛍光管交換灯。
【請求項４】
前記少なくとも１つの中央モジュール内に、少なくとも１つの電気的に接続されたＬＥＤを有する回路基板を有する前記電気回路を更に備えることを特徴とする請求項１に記載のＬＥＤ蛍光管交換灯。
【請求項５】
前記少なくとも１つの中央モジュール内において、前記少なくとも１つの他のコネクタが、前記少なくとも１つの前記エンドキャップを前記電気回路に電気的に接続することを特徴とする請求項４に記載のＬＥＤ蛍光管交換灯。
【請求項６】
前記２つの端部モジュール、および、前記少なくとも１つの中央モジュールは、交換可能に電気的に接続されていることを特徴とする請求項１に記載のＬＥＤ蛍光管交換灯。
【請求項７】
前記少なくとも１つの他のコネクタは、前記少なくとも１つのエンドキャップを前記少なくとも１つの中央モジュールに、機械的に接続することを特徴とする請求項１に記載のＬＥＤ蛍光管交換灯。
【請求項８】
前記少なくとも１つの端部モジュール内の前記電気回路は、電力変換器を含むことを特徴とする請求項１に記載のＬＥＤ蛍光管交換灯。
【請求項９】
前記２つの端部モジュール間に、前記少なくとも１つの中央モジュールを包含する筐体を更に備えることを特徴とする請求項１に記載のＬＥＤ蛍光管交換灯。
【請求項１０】
同軸上に隣接した複数の筐体区域を含む前記筐体を更に備えることを特徴とする請求項９に記載のＬＥＤ蛍光管交換灯。
【請求項１１】
隣接した前記筐体区域を接合する連結スリーブを更に備えることを特徴とする請求項１０に記載のＬＥＤ蛍光管交換灯。
【請求項１２】
２つの隣接した前記筐体区域に延伸すると共に相互接続する、ブジッジサポートを更に備えることを特徴とする請求項１０に記載のＬＥＤ蛍光管交換灯。
【請求項１３】
２つの隣接する前記端部モジュールにおいて、入れ子的に嵌合可能な（nestingly engageable）隣接端部を更に備えることを特徴とする請求項１０に記載のＬＥＤ蛍光管交換灯。
【請求項１４】
複数の前記中央モジュールを有する前記少なくとも１つの中央モジュールと、
複数の前記中央モジュールに保持されつつ、複数の前記中央モジュールを接続するブリッジコネクタと、を更に備えることを特徴とする請求項１に記載のＬＥＤ蛍光管交換灯。
【請求項１５】
複数の、電気的に接続された、交換可能な照明モジュールを備えるＬＥＤ蛍光管交換灯であって、
前記複数の交換可能な照明モジュールは、
２つの端部モジュールと、
少なくとも１つの中央モジュールと、を含み、
前記端部モジュールのそれぞれは、筐体および前記筐体の一端に実装された少なくとも１つの端部コネクタを有するエンドキャップと、前記少なくとも１つの端部コネクタに接続して前記照明モジュールに電力を供給する電気回路を含む前記少なくとも１つの端部モジュールと、を有し、
前記少なくとも１つの中央モジュールは、電気回路を含包する筐体と、前記電気回路に実装された少なくとも１つのＬＥＤと、隣接する前記照明モジュールが分離可能に連結するように、対向する前記電気回路の端部を接合するブリッジコネクタと、を含み、
前記端部モジュール、および、前記少なくとも１つの中央モジュールは、同軸にアレンジされると共に、２つの前記端部モジュールの隣接した端部および前記少なくとも１つの中央モジュールは、統合された筐体に併合挿入され、
前記２つの端部モジュールのうちいずれか１つ、および、前記少なくとも１つの中央モジュールは、同種のモジュールと交換可能であることを特徴とするＬＥＤ蛍光管交換灯。
【請求項１６】
蛍光交換灯において使用可能な照明モジュールであって、
前記照明モジュールは、
少なくとも１つの、端部ユニットモジュールと、中央ユニットモジュールと、を備え、
前記端部ユニットモジュールは、
少なくとも１つの端部コネクタを有するエンドキャップを、その一端に有する筒状筐体と、
少なくとも１つのピンコネクタに電気的に接続される、前記筒状筐体の内部に備わる電力変換器と、を含み、
前記電力変換器は、前記エンドキャップと対向する側の端部に、電気的に接続する手段を有し、
前記中央ユニットモジュールは、
前記筒状筐体と、
前記筒状筐体の対向する端部それぞれの電気的に接続する手段の間にて接続され、前記筒状筐体の内部に備わる電気回路と、
前記筐体内において前記電気回路に連結される、少なくとも１つのＬＥＤと、を含み、
前記端部ユニットモジュール、および、前記中央ユニットモジュールは、前記電気的に接続する手段が隣接するモジュールを電気的に接続するように、隣接する前記端部ユニットモジュール、または、前記中央ユニットモジュールが、接合されるように構成されることを特徴とする照明モジュール。
【発明の詳細な説明】
【技術分野】
【０００１】
本発明は、一般的に、発光ダイオード（ＬＥＤ）に基づく照明に関し、蛍光灯固定具の中の従来の蛍光灯を置き換えるための、特に、独立して交換可能な照明モジュール（lighting module）に関するものである。
【背景技術】
【０００２】
蛍光灯は、様々な場所で、例えば学校やオフィスビルなど、幅広く使用されている。また、従来の蛍光灯は、例えば、白熱灯に対し、いくつかの利点があるが、また、いくつかの欠点も提示されており、とりわけ、ガラス管の中に存在する有害物質による廃棄問題が含まれる。
【発明の概要】
【発明が解決しようとする課題】
【０００３】
ＬＥＤ蛍光灯は、蛍光灯と一対一の交換に用いられ、近年登場した。このような一つのＬＥＤ蛍光交換灯は、ＬＥＤのヒートシンクの役割も果たす半円柱状の金属筐体内に取り付けられ、延伸された回路基板上に備わる複数のＬＥＤを含む。半円形レンズが、ＬＥＤを覆うためにヒートシンク上にスナップ式にはめられており、ＬＥＤからの光を拡散する。一般的に、ＬＥＤの交換が必要な場合、または、電力変換回路（power conversion circuitry）の交換が必要な場合、灯管全体の交換が必要となる。
【課題を解決するための手段】
【０００４】
ＬＥＤ蛍光交換灯と照明モジュールの実施形態をここに開示する。交換灯の実施形態は、隣接モジュール（adjacent module）と電気的に接続されるよう構成される複数の交換可能な照明モジュールを含む。交換可能な照明モジュールは、それぞれがピンコネクタを有するエンドキャップを有する複数の端部モジュール（end module）を含み、少なくとも一つの端部モジュールは、モジュールに電力供給するピンコネクタに接続される電気回路を含む。これら照明モジュールは、回路基板に実装されるＬＥＤを使用する中央ユニットモジュール（center unit module）含むこともできる。交換灯は、修理または交換用にモジュールのみを撤去できるように、想定可能な照明モジュールの構成から作成できる。
【発明の効果】
【０００５】
ＬＥＤ蛍光灯のＬＥＤまたは電力変換回路の交換が必要な場合、修理または交換が必要な照明モジュールのみの交換が可能になる。
【図面の簡単な説明】
【０００６】
なお、以下の説明において参照する各図では、他の図と同等の構成要素は同一符号によって示されている：
【図１】本発明において開示された交換可能な照明モジュールの実施形態の斜視図である。
【０００７】
【図２】本発明において開示された交換可能な照明モジュールの他の実施形態の斜視図である。
【０００８】
【図３】本発明において開示された交換可能な照明モジュールの更に他の実施形態の斜視図である。
【０００９】
【図４】本発明において開示された交換可能な照明モジュールを含むＬＥＤ交換灯の実施形態の斜視図である。
【００１０】
【図５】本発明において開示された交換可能な照明モジュールと共に使用する支持構成（support component）の実施形態の斜視図である。
【００１１】
【図６Ａ】本発明において開示された嵌め合い端部を有する交換可能な照明モジュールの実施形態の斜視図である。
【図６Ｂ】本発明において開示された嵌め合い端部を有する交換可能な照明モジュールの実施形態の斜視図である。
【図６Ｃ】本発明において開示された嵌め合い端部を有する交換可能な照明モジュールの実施形態の斜視図である。
【発明を実施するための形態】
【００１２】
図１〜図３は、本文明細書に開示された実施形態による照明モジュールを図示する。照明モジュールのそれぞれは、例えば図４に示されるように、蛍光灯用の照明システムにて従来使用されたことのある既存の蛍光灯固定具（図示せず）に使用可能な、ＬＥＤ交換灯１０がモジュールの集合体により形成されるように、他のモジュールと構成することができる。固定具は、バラスト（ballast）（図示せず）を含むことが可能であり、信号源と交換灯１０との間に接続することができる。
【００１３】
図１は、図４に示す交換灯（lamp）１０を製造するために、他のモジュールと使用されるように構成された端部ユニットモジュール２０の実施形態を示す。端部ユニットモジュール２０の本実施形態は、連通穴（through-bore）２３を画定する筒状筐体２２を含むことができる。筐体２２の一端の上にエンドキャップ２４を有する筐体２２が示されている。エンドキャップ２４は、２つのピン２６を有することができ、例えば、端部ユニットモジュール２０および組み込まれる集合灯を、物理的および電気的に固定具に接続する。ピン２６は、図１に示すように、必要に応じて電力変換器２８に電気的に接続することができる。ピン２６の向い側の、電力変換器２８の端部２９は、交換灯１０内にある隣接モジュールの回路基板への電気的接続用の接続部５０を有する。端部ユニットモジュール２０が、交換灯１０内にて使用される場合、電力交換器２８が、適切な電力を交換灯１０内のＬＥＤに供給する。
【００１４】
端部ユニットモジュール３０の他の実施形態が図２に示される。この実施形態において、端部ユニットモジュール３０は、上述のように、連通穴２３を画定し且つエンドキャップ２４を有する筒状筐体２２を有する。エンドキャップ２４は、第１の実施形態のように２つのピン２６を有する。しかしながら、この実施形態では、ピン２６は、回路基板３２に直接電気的に接続しており、固定具からの電力をＬＥＤ３４へ供給する。電力変換は、必要に応じて、交換灯の外部にて行われる。ＬＥＤ３４は、図２に示されるように、回路基板３２により支持される。ピン２６の向い側の、回路基板３２の端部３６は、図１または図３に示される接続部５０と同様に、交換灯１０内において、ブリッジコネクタ（bridge connectors）など、隣接モジュールの回路基板に接続するための接続部５０を有する。
【００１５】
図３は、中央モジュール４０を図示しており、集合交換灯１０を製造するために、１つ以上の端部ユニットモジュール２０，３０と共に１つ以上の中央モジュールを使用することができる。中央モジュール４０は、連通穴２３を画定する筒状筐体２２を有し、筐体２２内の回路基板３２は筐体２２の長さにおよんでいる。ＬＥＤ３４は、回路基板３２に沿って、規定の間隔４２で実装されている。回路基板３２の各端部は、ブリッジコネクタなど、本明細書に開示されるように各端部を隣接する中央モジュールまたは端部モジュールへ接続する接続部５０を有することができる。
【００１６】
図１〜図３は、実施の例として提供され、限定を意味するものではない。図１の端部ユニットモジュール２０には、例えば、回路基板の一部と複数のＬＥＤを組み込むことができ、回路基板の一部は、電力変換器と電気的に接続されるように配置される。図２の端部ユニットモジュール３０には、例えば、その上部にＬＥＤを備えない回路基板の一部のみを含むことができる。
【００１７】
筐体２２は、本明細書に開示されたいずれの実施形態においても、ポリカーボネート、アクリル、ガラス、または、その他の透過性の素材からなる（すなわち、筐体２２は、透明または半透明とすることができる）。例えば、半透明の筐体２２は、複合材料からなることができ、光反射性素材からなる粒子をポリカーボネート内に散有する、ポリカーボネートなどからなる。図示の筐体２２は筒状であるが、筐体は、四角、三角、多角形、または、その他の断面形状を、代わりに用いることができる。同様に、図示の筐体２２は直線状であるが、筐体は、例えばＵ形状など、代わりの断面形状を用いることができる。さらに、図１〜図３に示されるように、筐体２２は、１つの個体である必要はない。かわりに、ハウジングの別の例としては、全ての部品に光透過性を要するのではないが、複数の個別の部品を取り付けることにより、形成することができる。例えば、モジュールの筐体２２は、複数の独立部品を取り付けることから形成でき、ＬＥＤ３４を覆うための、不透明な下位部とレンズの組合せ、または、下位部に取り付けられたその他の透明なカバー、などから形成される。図１〜図３に図示の筐体２２は、筐体２２に粗面処理または光拡散フィルム等を施すことにより、光を拡散する性質、または、光を反射する特性を含むよう製造することができる。さらに、筐体２２は、これら回路基板３２を有するモジュール用の回路基板３２を摺動自在に受容する（slidably receiving）溝を画定することができる、
【００１８】
回路基板３２は、図２および図３に図示されるように、細長いプリント回路基板である。回路基板３２は、筐体２２の溝にスライド自在に嵌めこむようにすることができる、または、回路基板３２は、筐体２２に接続するよう、代わりにクリップ留め（clipped）、粘着留め（adhered）、スナップフィット（snap-fit）または摩擦フィット（friction-fit）、ネジ留め（screwed）、または、その他の接続とすることができる。例えば、回路基板３２は、筐体２２に取り付けられたヒートシンク上に実装することができる。例えばメタルコア回路基板など、その他の型の回路基板も使用してもよい。あるいは、回路基板３２の代わりに、図１に示される電力変換器２８、または、後述のブリッジコネクタにＬＥＤ３４を電気的に接続するために、その他の電気的接続（例えば電線）を使用することもできる。整流器およびフィルター等、更なる電子部品を回路基板３２上に実装することもできる。
【００１９】
交換灯１０の中央モジュールおよび端部ユニットモジュール内のＬＥＤ３４は、少なくとも１つのＬＥＤ、複数の直列接続されたまたは並列接続されたＬＥＤ、または、ＬＥＤアレイ（LED array）を含む。少なくとも１つのＬＥＤアレイは、複数のＬＥＤアレイを含むことができる。いかなる種類のＬＥＤもＬＥＤ３４として使用しても良い。例えば、ＬＥＤは、高輝度半導体ＬＥＤ（high-brightness semiconductor LEDs）、有機発光ダイオード（organic light emitting diodes）（ＯＬＥＤ）、電流に反応して光を生成する半導体ダイ（semiconductor die）、発光ポリマー（light emitting polymers）、エレクトロルミネセントストリップ（electro-luminescent strips）（ＥＬ）等でも良い。ＬＥＤ３４は、ニチア（Nichia）から入手可能な型である表面実装型ＬＥＤとすることもできる。ＬＥＤ３４は、ハンダ、スナップフィット接続（snap-fit connection）、または、その他の手段により、回路基板３２に実装することができる。ＬＥＤ３４は、白色光を発光することができる。しかしながら、青色光を生成するＬＥＤにおいては、白色光発光ＬＥＤ３４の代わりに、あるいは、一緒に、紫外線光またはその他の波長からなる光を使用することができる。また、実施形態では、ＬＥＤ単体を含むモジュールについて言及され説明されるが、照明モジュールのその他の実施形態においては、ＬＥＤのみに制限する必要はない。例えば、照明モジュールのその他の実施形態は、蛍光灯およびＬＥＤの組み合わせを含んでも良い。
【００２０】
ピン２６を有するエンドキャップ２４を有するモジュールの実施形態において、２つのピン２６のうちの１つは、電気的接続をもたらさない「ダミーピン」とすることができる。あるいは、図示の１組のピン２６の代わりに、固定具の種類に応じて、他の型の電気的接続をエンドキャップ２４から筐体１４内に延在することができる。例えば、２つのピン２６の代わりに、単一の固定具に互換性のある１つのピン２６を使うことができる。あるいは、両方のピン２６に、電気的に接続しない「ダミーピン」とすることもできるので、電気的な接続を提供する、他の端部モジュールおよび固定具を有するようなモジュールを使う必要が生じる。
【００２１】
さらに、エンドキャップ２４はピン２６を一つも有しなくとも良く、または、エンドキャップ２４は複数のピンを有することもできる。例えば、番号１〜４のダミーピンは、単なる例として、１つまたは両方のエンドキャップ２４上に備えていても良い。ピン２６は、電気的に接続をもたらさない「ダミーピン」であると共に、ただ照明固定具の中の組立部品を支持するだけの構成であることから、電気的導体は、単なる例として、固定具の側方から等、固定具内のどのような位置に備えられていても良い。任意のコネクタは、電気的導体をモジュールに接続するために、固定具、交換灯または導体のうち、１つまたは複数の組合せのうちいずれかの上に、備えても良い。
【００２２】
電力変換器２８は、固定具を通して受けた電力を、ＬＥＤ３４で使用するのに適切な電力に変換できる。電力変換器２８は、１つ以上の、突入電流を防止する回路（inrush protection circuit）、サージ抑制回路（surge suppressor circuit）、ノイズフィルタ回路（noise filter circuit）、整流回路（rectifier circuit）、メインフィルタ回路（main filter circuit）、電流調整回路（current regulator circuit）、および、短絡電圧調整回路（shunt voltage regulator circuit）を含むことができる。電流調整回路は、ＬＥＤ３４に接続することができる。電力変換器２８は、電源から広範囲の電流および／または電圧を受けとれるように、適切に設計される。
【００２３】
特定の組合せのモジュールが例えば図４に示されるような交換灯１０を形成するように、モジュール２０、３０、４０を製造することができる。交換灯１０を完成するために多数のモジュールが必要とされ、実例が示されているが、この例の内容に本発明を限定する意図はない。例えば、交換灯１０は、２つの端部モジュールから製造され、例えば図２のモジュール３０または図１のモジュール２０など、ＬＥＤを有する回路基板をそれぞれさらに含んでいる。交換灯１０は、２つの端部ユニットおよび１つ以上の中央ユニット４０から製造することができる。上述の固定具との互換性について、モジュール２０、３０、４０は、例えば集合交換灯１０は、およそ４８インチという長さを有することができる。もちろん、交換灯１０全体は、他の適切な寸法を有することができる。
【００２４】
交換灯１０全体の中のＬＥＤ３４の個数は、交換灯１０およびＬＥＤ３４に所望の電力の関数となりえる。４８インチの長さの照明では、ＬＥＤ３４の個数は、およそ５個から数百個とすることができ、例えば交換灯１０はおよそ５００ルーメンから３０００ルーメンを出力する。しかしながら、異なる個数のＬＥＤ３４を代用することもでき、交換灯１０は異なるルーメン値を出力することができる。ＬＥＤ３４は、回路基板３２に沿って、等間隔に空けられる。ＬＥＤ３４の間隔は、例えば、各ＬＥＤ３４の光分布およびＬＥＤ３４の個数に基づいて、決定することができる。従って、ＬＥＤ３４を有するモジュール３０、４０は、集合交換灯１０に要求されるルーメンを出力するための、個数と間隔とからなるＬＥＤを含む。
【００２５】
モジュール２０、３０、４０は、図４に図示される集合交換灯１０、および、独立モジュールとして、販売することができる。交換灯１０のモジュールがメンテナンスまたは交換を必要とする場合、交換灯１０内のモジュールをそのままにした状態で、該当するモジュールを取り外す、あるいは、新たなモジュールと交換または修理した上で元に戻すことができる。交換灯全体を交換するよりも、モジュールを交換することができるということは、ＬＥＤ交換照明システムの運用コストを下げる。また、このようなモジュールは、修理およびメンテナンスを容易にする。
【００２６】
前述のとおり、モジュール２０、３０、４０は、１つの回路基板３２を他の回路基板３２へ、または、電力変換器２８を、ブリッジコネクタなど、接続部５０を介して回路基板３２へ接続する。ブリッジコネクタは、適切なオス端子およびメス端子、または、雌雄同体端子（hermaphroditic connectors）とすることができる。当業者に周知な、他の接続手段を検討しても良い。モジュール２０、３０、４０の筐体２２は、筐体端部が平坦となるような、隣接する筐体と接することができる。接続部５０は、モジュール２０、３０、４０を交換灯１０内に保持するために充分に支持することができる。他の実施形態では、モジュール２０、３０、４０は、交換灯１０内でモジュール２０、３０、４０を補強するための、接続された回路基板３２にスナップ留め可能な別個の個体、または、接続部５０を延伸した別個の個体である、図５に示すブリッジサポート５２を備えていても良い。モジュール２０、３０、４０の筐体２２は、図６Ａ〜図６Ｃに示されるような、嵌合端を有することも考えられる。図６Ａでは、１つのモジュール２０が、オス端子５４を有することができ、隣接モジュール４０がメス端子５６を有することができる。図６Ｂは、他の例の嵌合端５６、５７を説明する。これらは例として提供されており、限定されることを意味していない。同様の結果をもたらす他の構成も使用することができる。
【００２７】
図６Ｃにて、モジュールを有する別個のスリーブ（separate sleeve）５８は、モジュールの隣接端部５６が摩擦によりスリーブ５８の対向端部にスライド挿入するよう構成することができる。スリーブ５８は、モジュールが接する箇所において、交換灯１０を更に支持することができる。交換灯１０が使用中の場合に、肉眼では気づかれないように、スリーブ５８は、筐体２２と同じ素材から構成することができる。
【００２８】
もし交換灯１０が固定具内のモジュール２０、３０、４０が取り外された場合に発生する衝撃を防止するために、集合交換灯１０が固定具から外されない限り、モジュールを外せないように、モジュールは互いに嵌合することになる。隣接するモジュール間の機械的接合部は電気的衝撃を防止する機械的な安全機能を有するように、モジュール２０、３０、４０を構成可能であることも考えられる。例えば、機械的接合部は、モジュールが分離することを防止するロッキング機構を有することができ、交換灯１０全体が照明固定具から外された場合に、充電用接合部のみがロックを解除される。交換灯１０が固定具から外されると、電源が切り離される。
【００２９】
電力回路が端部間における適切な回路抵抗を感知した場合を除き、独立モジュール２０、３０、４０を、端部モジュール２０、３０内の電気的回路、すなわち、ピン２６接続、電力変換器２８、または、回路基板３２により、電源からモジュールへ電気が流れるのを防止するよう構成することができる。例えば、電気回路は、未接続の接続部５０が残っていないことを感知するまでは作動しない。
【００３０】
電力変換器２８を含む独立モジュールは、例えばモジュール２０など、広範囲の電力域で動作するように構成でき、より効率的なＬＥＤにアップグレードするには中央モジュール４０など、特定のモジュールのみを交換する必要がある。また、モジュール内の個別のＬＥＤが交換可能なように、ＬＥＤを含むモジュールを外すことができることも考えられる。更新されたＬＥＤを有するモジュールは、更新された交換灯１０を形成するよう、既存の端部モジュールと共に再インストールすることができる。
【産業上の利用可能性】
【００３１】
本発明は、いくつかの実施形態に関連して説明されてきたが、開示された実施形態に限定されることなく、それどころか、添付の請求の範囲内を含むさまざまな改良品および同等のアレンジを含めることを意図しており、その範囲は、法が許す中で全ての変更や均等構造を含有するよう最も広い解釈に応じるものである、と解することができる。
【図１】
2013530508.tif 000003
【図２】
2013530508.tif 000004
【図３】
2013530508.tif 000005
【図４】
2013530508.tif 000006
【図５】
2013530508.tif 000007
【図６Ａ】
2013530508.tif 000008
【図６Ｂ】
2013530508.tif 000009
【図６Ｃ】
2013530508.tif 000010
【国際調査報告】
2013530508.tif 000011
2013530508.tif 000012